(57)【要約】【課題】フラッシュバルブから便器のボウル部内に供給された洗浄水について、上下方向に旋回させる流れを効果的に形成し、汚物等の排出性能を向上させることができる水洗大便器を提供する。【解決手段】本発明の水洗大便器１は、リム部20に洗浄水を吐水して汚物受け面上に旋回流を形成する第１吐水部26と、ボウル部10の側面で且つ汚物受け面よりも下方且つ初期溜水水位Ｌよりも上方に形成され、ボウル部内の洗浄水を上下方向に攪拌する流れを形成する第２吐水部28と、第１吐水部に洗浄水を供給する第１通水路12と、第２吐水部に洗浄水を供給する第２通水路14とを有し、第２通水路は、フラッシュバルブ６から供給された洗浄水が流入する流入部38と、この流入部から下流側に向って徐々に流路が大きくなるように形成された拡張部40と、この拡張部から下流側に向って徐々に流路が小さくなるように第２吐水部付近に形成された絞り部42とを備えている。【選択図】図７
2014062431.tif 000002
【特許請求の範囲】
【請求項１】
フラッシュバルブから供給される洗浄水により便器本体を洗浄して汚物を排出する水洗大便器であって、
ボウル形状の汚物受け面と、この汚物受け面の上方に位置するリム部と、を備えたボウル部と、
このボウル部の底部と連通して延び上記ボウル部内の汚物を排出すると共に上記ボウル部の初期溜水水位を規定するトラップ管路と、
上記リム部に洗浄水を吐水して上記汚物受け面上を旋回する旋回流を形成する第１吐水部と、
上記ボウル部の側面で且つ上記汚物受け面よりも下方で且つ上記初期溜水水位よりも上方の位置に形成され、洗浄水を上記ボウル部内へ吐水して上記ボウル部内の洗浄水を上下方向に攪拌する流れを形成する第２吐水部と、
上記第１吐水部に洗浄水を供給する第１通水路と、
上記第２吐水部に洗浄水を供給する第２通水路と、を有し、
上記第２通水路は、フラッシュバルブから供給された洗浄水が流入する流入部と、この流入部から下流側に向って徐々に流路が大きくなるように形成された拡張部と、この拡張部から下流側に向って徐々に流路が小さくなるように上記第２吐水部付近に形成された絞り部と、を備え、上記流入部及び上記絞り部の流路断面積は、上記第２通水路における流入部及び絞り部以外の他の部分の流路断面積よりも小さく設定されていることを特徴とする水洗大便器。
【請求項２】
上記第２通水路の流入部及び絞り部の流路断面積は、５００ｍｍ2〜６００ｍｍ2である請求項１記載の水洗大便器。
【請求項３】
上記第２通水路は、更に、上記絞り部の下流且つ上記第２吐水部の上流に形成され、上記第２通水路の絞り部を通過した洗浄水を上記第２吐水部へ差し向けるように屈曲して形成された屈曲部を備えている請求項１又は２に記載の水洗大便器。
【請求項４】
上記屈曲部は、その流路内の前側の壁面がほぼ前方側へ張り出すように形成された張り出し部を備え、この張り出し部の上流側から下流側の上記第２吐水部に向かって屈曲して形成されている請求項３記載の水洗大便器。
【請求項５】
上記ボウル部は、更に、上記汚物受け面よりも上記ボウル部内の中央側に形成され且つ上記初期溜水水位よりも下方に位置する段部を備え、上記第２吐水部は、上記段部へ差し向けられている請求項１乃至４の何れか１項に記載の水洗大便器。
【請求項６】
上記第２通水路の流入部は、その流路断面が下流側に向って斜め下方に差し向けられるように形成されている請求項１乃至５の何れか１項に記載の水洗大便器。
【発明の詳細な説明】
【技術分野】
【０００１】
本発明は、水洗大便器に係り、特に、フラッシュバルブから供給される洗浄水により便器本体を洗浄して汚物を排出する水洗大便器に関する。
【背景技術】
【０００２】
従来から、便器を洗浄して汚物を排出する水洗大便器として、例えば、特許文献１に記載されているように、リム部に洗浄水を吐水して上記汚物受け面上を旋回する旋回流を形成する第１吐水口を備え、さらに、ボウル部の側面で且つ上記汚物受け面よりも下方で且つ初期溜水水位よりも上方の位置に形成され、洗浄水をボウル部内へほぼ水平方向に吐水してボウル部内の洗浄水を上下方向に攪拌する流れを形成する第２吐水口を備えたものが知られている。
このような特許文献１に記載されている水洗大便器においては、従来、第１吐水口から吐水される洗浄水により形成される旋回流のみでは、ボウル部に浮遊している浮遊汚物の排出性能が低いという課題を解決するために、第１吐水口以外に設けられた第２吐水口から吐水された洗浄水を利用して縦方向（上下方向）の旋回流を形成することができるようになっている。そして、この縦方向の旋回流によって、水面の浮遊汚物が溜水内に沈められ、溜水内に沈んでいた汚物と共にトラップ管路から排出することができるようになっている。
【０００３】
また、特許文献１に記載されている水洗大便器においては、洗浄水を便器に供給する水源として貯水タンクを備えており、この貯水タンクに貯水された洗浄水が比較的高い瞬間流量（例えば、約１２０〜１４０［ｌ／ｍｉｎ］）で便器に瞬時に供給されるようになっている。
ちなみに、洗浄水を便器に供給する貯水タンク以外の水源としては、給水管（水道）と直結するフラッシュバルブがあり、このフラッシュバルブとしては、主に、手動操作により機械的に作動する機械式のフラッシュバルブや、人体感知センサーやタッチスイッチ等から送信された信号によって電気的に作動する電気式のフラッシュバルブがある。
ここで、図９は、一般的な便器に洗浄水を供給する水源として適用される従来の貯水タンク、機械式のフラッシュバルブ、及び電気式のフラッシュバルブに関する各排水特性（時間ｔと瞬間流量Ｑとの関係）の例を示している。この図９に示すように、貯水タンク、機械式のフラッシュバルブ、及び電気式のフラッシュバルブの各洗浄水源は、それぞれ異なる特有の排水特性の波形を有している。特に、機械式のフラッシュバルブや電気式のフラッシュバルブを適用した場合では、貯水タンクを適用した場合の瞬間流量（例えば、約１２０〜１４０［ｌ／ｍｉｎ］）に比べて低い瞬間流量（例えば、約７０〜９０［ｌ／ｍｉｎ］）となっている。
【先行技術文献】
【特許文献】
【０００４】
【特許文献１】特開２０１０−１８０５８７号公報
【発明の概要】
【発明が解決しようとする課題】
【０００５】
しかしながら、上述した特許文献１に記載されている従来の水洗大便器においては、洗浄水源として貯水タンクしか適用されておらず、仮に、貯水タンクの代わりに、機械式のフラッシュバルブや電気式のフラッシュバルブを適用した場合には、貯水タンクを適用した場合に比べて低い瞬間流量でしか便器に洗浄水を供給することができない。したがって、第２吐水口から吐水される洗浄水の勢いも弱くなるため、ボウル部内で十分な縦方向（上下方向）の旋回流を形成することができず、汚物等の排出性能が低下してしまうという問題がある。また、このような問題は、近年の便器洗浄水の節水化により益々顕著になっている。
さらに、上述した従来の水洗大便器においては、節水化を伴う便器にフラッシュバルブを適用した場合について、汚物排出性能を向上させるための便器の構造的な工夫や対策がなされていない。したがって、貯水タンクに比べて瞬間流量が低くなるフラッシュバルブを適用した場合であっても、フラッシュバルブの種類にかかわらず、一定の排水特性によって便器洗浄を行い、汚物等の十分な排出性能を得ることも重要な課題となっている。
【０００６】
そこで、本発明は、上述した従来技術の問題や課題を解決するためになされたものであり、フラッシュバルブから便器のボウル部内に供給された洗浄水について、上下方向に旋回させる流れを効果的に形成し、汚物等の排出性能を向上させることができる水洗大便器を提供することを目的としている。
【課題を解決するための手段】
【０００７】
上述した目的を達成するために、本発明は、フラッシュバルブから供給される洗浄水により便器本体を洗浄して汚物を排出する水洗大便器であって、ボウル形状の汚物受け面と、この汚物受け面の上方に位置するリム部と、を備えたボウル部と、このボウル部の底部と連通して延び上記ボウル部内の汚物を排出すると共に上記ボウル部の初期溜水水位を規定するトラップ管路と、上記リム部に洗浄水を吐水して上記汚物受け面上を旋回する旋回流を形成する第１吐水部と、上記ボウル部の側面で且つ上記汚物受け面よりも下方で且つ上記初期溜水水位よりも上方の位置に形成され、洗浄水を上記ボウル部内へ吐水して上記ボウル部内の洗浄水を上下方向に攪拌する流れを形成する第２吐水部と、上記第１吐水部に洗浄水を供給する第１通水路と、上記第２吐水部に洗浄水を供給する第２通水路と、を有し、上記第２通水路は、フラッシュバルブから供給された洗浄水が流入する流入部と、この流入部から下流側に向って徐々に流路が大きくなるように形成された拡張部と、この拡張部から下流側に向って徐々に流路が小さくなるように上記第２吐水部付近に形成された絞り部と、を備え、上記流入部及び上記絞り部の流路断面積は、上記第２通水路における流入部及び絞り部以外の他の部分の流路断面積よりも小さく設定されていることを特徴としている。
このように構成された本発明においては、第２通水路が、その下流側の第２吐水部付近に絞り部を備えており、この絞り部の流路断面積が、第２通水路における流入部及び絞り部以外の他の部分の流路断面積よりも小さく設定されているため、フラッシュバルブから第２通水路に比較的小さな瞬間流量（例えば、７０〜９０［ｌ／ｍｉｎ］）で洗浄水が供給されたとしても、絞り部を通過する洗浄水の流速を高めることができ、勢いのある洗浄水を第２吐水部からボウル部内に吐水することができる。したがって、第２吐水部からボウル部内へ吐水された洗浄水について上下方向（縦方向）に旋回させる流れを効果的に形成し、ボウル部内の溜水についても上下方向に攪拌する流れを形成することができるため、汚物等の排出性能を向上させることができる。また、第２通水路の流入部の流路断面積が、第２通水路の流入部及び絞り部以外の他の部分の流路断面積よりも小さく設定されているため、フラッシュバルブから供給された洗浄水が流入部を通過する際に、適用されるフラッシュバルブの種類にかかわらず、流量をほぼ一定とすることができる。したがって、ほぼ一定となった流量が絞り部を通過することにより流速が向上し、ボウル部内における洗浄性能と汚物排出性能を向上させることができる。
さらに、第２通水路が、その流入部と絞り部との間に拡張部を備え、この拡張部により第２通水路内の途中の流路が流入部や絞り部の流路よりも拡張されているため、拡張部内を流れる洗浄水に対する流体抵抗を抑制し、絞り部に供給される洗浄水を整流化することができる。したがって、絞り部で流速が高められた勢いのある洗浄水を形成することができ、第２吐水部からボウル部内へ吐水された洗浄水について上下方向（縦方向）に旋回させる流れを効果的に形成し、汚物等の排出性能を向上させることができる。
【０００８】
本発明において、好ましくは、上記第２通水路の流入部及び絞り部の流路断面積は、５００ｍｍ2〜６００ｍｍ2である。
このように構成された本発明においては、フラッシュバルブから第２通水路に比較的小さな瞬間流量（例えば、７０〜９０［ｌ／ｍｉｎ］）で洗浄水が供給されたとしても、絞り部を通過する洗浄水の流速を高めることができ、勢いのある洗浄水を第２吐水部からボウル部内に吐水することができる。したがって、第２吐水部からボウル部内へ吐水された洗浄水について上下方向（縦方向）に旋回させる流れを効果的に形成し、ボウル部内の溜水についても上下方向に攪拌する流れを形成することができるため、汚物等の排出性能を向上させることができる。また、フラッシュバルブから供給された洗浄水が流入部を通過する際に、適用されるフラッシュバルブの種類にかかわらず、流量をほぼ一定とすることができ、ボウル部内における洗浄性能と汚物排出性能を向上させることができる。さらに、絞り部で流速が高められた勢いのある洗浄水を形成することができ、第２吐水部からボウル部内へ吐水された洗浄水について上下方向（縦方向）に旋回させる流れを効果的に形成し、汚物等の排出性能を向上させることができる。
【０００９】
本発明において、好ましくは、上記第２通水路は、更に、上記絞り部の下流且つ上記第２吐水部の上流に形成され、上記第２通水路の絞り部を通過した洗浄水を上記第２吐水部へ差し向けるように屈曲して形成された屈曲部を備えている。
このように構成された本発明においては、第２通水路の拡張部を流れて絞り部で収束し、流速が高められた勢いのある洗浄水は、第２通水路内の屈曲部に衝突した後に第２吐水部へ差し向けられるため、第２吐水部から勢いのある洗浄水をボウル部内に向けて所定の吐水方向に吐水することができる。したがって、第２吐水部からボウル部内へ吐水された洗浄水について上下方向（縦方向）に旋回させる流れを効果的に形成し、ボウル部内の溜水についても上下方向に攪拌する流れを形成することができ、汚物等の排出性能を向上させることができる。
【００１０】
本発明において、好ましくは、上記屈曲部は、その流路内の前側の壁面がほぼ前方側へ張り出すように形成された張り出し部を備え、この張り出し部の上流側から下流側の上記第２吐水部に向かって屈曲して形成されている。
このように構成された本発明においては、屈曲部が、その流路内の前側壁面がほぼ前方側へ張り出すように形成された張り出し部を備え、この張り出し部の上流側から下流側の第２吐水部に向かって屈曲して形成されているため、絞り部を通過した洗浄水の大半が屈曲部の張り出し部の前側の壁面に衝突した後、この張り出し部の壁面に沿って第２吐水部に滑らかに導かれ、第２吐水部から勢いのある洗浄水をボウル部内に向けて所定の吐水方向に吐水することができる。したがって、第２吐水部からボウル部内へ吐水された洗浄水について上下方向（縦方向）に旋回させる流れをより効果的に形成し、ボウル部内の溜水についても上下方向に攪拌する流れを形成することができ、汚物等の排出性能を向上させることができる。
【００１１】
本発明において、好ましくは、上記ボウル部は、更に、上記汚物受け面よりも上記ボウル部内の中央側に形成され且つ上記初期溜水水位よりも下方に位置する段部を備え、上記第２吐水部は、上記段部へ差し向けられている。
このように構成された本発明においては、第２吐水部が、汚物受け面よりもボウル部内の中央側に形成され且つ初期溜水水位よりも下方に位置する段部へ差し向けられているため、第２吐水部からボウル部内へ吐水された洗浄水の大半が、ボウル部内の段部に衝突した後、上下方向（縦方向）に旋回させる流れをより効果的に形成することができる。したがって、ボウル部内の溜水についても上下方向に攪拌する流れを形成することができ、汚物等の排出性能を向上させることができる。
【００１２】
本発明において、好ましくは、上記第２通水路の流入部は、その流路断面が下流側に向って斜め下方に差し向けられるように形成されている。
このように構成された本発明においては、第２通水路の流入部の流路断面積が第２通水路における流入部及び絞り部以外の他の部分の流路断面積よりも小さく設定されていることにより、フラッシュバルブから供給される洗浄水が第２通水路の流入部から流入しにくい状態であっても、第２通水路の流入部の流路断面が下流側に向って斜め下方に差し向けられているため、洗浄水が流入部から第２通水路内に滑らかに流入することができる。したがって、第２吐水部から勢いのある洗浄水をボウル部内に向けて所定の吐水方向に吐水することができ、第２吐水部からボウル部内へ吐水された洗浄水について上下方向（縦方向）に旋回させる流れをより効果的に形成することができる。よって、ボウル部内の溜水についても上下方向に攪拌する流れを形成することができ、汚物等の排出性能を向上させることができる。
【発明の効果】
【００１３】
本発明の水洗大便器によれば、フラッシュバルブから便器のボウル部内に供給された洗浄水について、上下方向に旋回させる流れを効果的に形成し、汚物等の排出性能を向上させることができる。
【図面の簡単な説明】
【００１４】
【図１】本発明の一実施形態による水洗大便器を示す概略斜視図である。
【図２】本発明の一実施形態による水洗大便器においてフラッシュバルブ及び便座を省略した状態の平面図である。
【図３】図２のＩＩＩ−ＩＩＩ線に沿って見た断面図である。
【図４】図２のＩＶ−ＩＶ線に沿って見た断面図である。
【図５】図２のＶ−Ｖ線に沿って見た断面図である。
【図６】本発明の一実施形態による水洗大便器の内部構造を示す側面図である。
【図７】図６に示す本発明の一実施形態による水洗大便器の内部構造のジェット導水路部分を斜め下方から見た部分拡大斜視図である。
【図８】図２に示す本発明の一実施形態による水洗大便器のジェット導水路部分を拡大した部分拡大平面図である。
【図９】一般的な便器に洗浄水を供給する水源として適用される従来の貯水タンク、機械式のフラッシュバルブ、及び電気式のフラッシュバルブに関する各排水特性（時間と瞬間流量との関係）の例を示す。
【発明を実施するための形態】
【００１５】
以下、添付図面を参照して、本発明の一実施形態による水洗大便器について説明する。
図１は本発明の一実施形態による水洗大便器を示す概略斜視図である。
図１に示すように、本発明の一実施形態による水洗大便器１は、ボウル部内の水の落差による流水作用で汚物を押し流す、いわゆる、洗い落し式の水洗大便器であり、陶器製の便器本体２と、この便器本体２の上面に配置された便座４と、便器本体２の後部に取り付けられ、便器洗浄に使用される洗浄水を貯水して便器本体２へ給水する洗浄水源である電気式のフラッシュバルブ装置６とを備えている。
【００１６】
電気式のフラッシュバルブ装置６の上流側には、給水管８が止水栓（図示せず）を介して接続されており、この給水管８の上流側は、水道等の給水源（図示せず）と接続されている。また、フラッシュバルブ装置６には、人体感知センサー６ａが内蔵されており、この人体感知センサー６ａが便器１の使用者（人体）を感知した後、使用者が便器使用後にセンサー６ａから離れると、フラッシュバルブ装置６に内蔵されている開閉弁（図示せず）がフラッシュバルブ装置６内の通水路（図示せず）を開放し、給水管８から供給された洗浄水を便器本体２に吐水するようになっている。
なお、本実施形態では、便器本体２へ洗浄水を供給する洗浄水源として、電気式のフラッシュバルブ装置を適用した形態について説明するが、このような形態に限られず、手動操作により機械的にフラッシュバルブを作動させる機械式のフラッシュバルブ装置を適用した形態であってもよい。
【００１７】
図２は本発明の一実施形態による水洗大便器においてフラッシュバルブ及び便座を省略した状態の平面図である。また、図３は図２のＩＩＩ−ＩＩＩ線に沿って見た断面図であり、図４は図２のＩＶ−ＩＶ線に沿って見た断面図であり、図５は図２のＶ−Ｖ線に沿って見た断面図である。
図２〜図５に示すように、便器本体２の前方上部にはボウル部１０が形成され、後方上部には、リム用導水路１２と詳細は後述するジェット用導水路１４が形成され、さらに、ボウル部１０の下方には、排水トラップ管路１６が形成されている。
【００１８】
図２〜図５に示すように、ボウル部１０は、ボウル形状の汚物受け面１８と、その上縁部を形成するリム部２０とを備えている。また、ボウル部１０の汚物受け面１８の上縁には、リム部２０に沿ってほぼ水平面上に延びる第１棚部２２が形成されている。この第１棚部２２は、正面から見てボウル部１０の左側後部から、ボウル部１０の前部を通って、右側後部まで、ボウル部１０の内周に沿って延びている。さらに、第１棚部２２は、その外周部から内周部へ向けて低くなるように内側に傾斜して形成されている。また、リム部２０の内側面２０ａは、洗浄水が外に飛び出さないように内方に向かってオーバーハングした形状になっている。なお、本実施形態の水洗大便器においては、必ずしも、リム形状を内側に向かってオーバーハングさせる必要はなく、オーバーハングさせない場合でも、洗浄水が便器外へ飛び出すのを抑えることできるようになっている。
【００１９】
さらに、図３〜図５に示すように、ボウル部１０の汚物受け面１８よりも中央側且つ下方部分には段部２４に形成され、この段部２４は、ボウル部１０の待機時の溜水水位である初期溜水水位Ｌよりも下方に位置している。
さらに、図３に示すように、段部２４の下方には、上述した排水トラップ管路１６の入口１６ａが開口し、この入口１６ａから上昇管１６ｂが後方に延び、頂部１６ｃを経て、下降管１６ｄが連続して形成され、この下降管１６ｄの下端は、排水ソケット（図示せず）を介して床下等に設置された排出管（図示せず）に接続されている。なお、下降管１６ｄの下流側は、便器本体２の後方側に延びて水洗大便器１の背面側に位置する壁裏側の設置された排出管（図示せず）に接続されていてもよい。
【００２０】
また、図２、図３及び図５に示すように、ボウル部１０の第１棚部２２には、吐水方向Ａが便器前方方向となるように、第１リム吐水口２６が形成されている。この第１リム吐水口２６は、ボウル部１０の前方から見て左側の後方に形成されている。この第１リム吐水口２６からは、フラッシュバルブ装置６から供給された洗浄水がリム用導水路１２を経て、ボウル部１０に向けて、ほぼ水平方向に吐水されるようになっている。
【００２１】
さらに、図２に示すように、ボウル部１０の第１棚部２２の前方から見て右側の後方の便器長手方向にほぼ直角な方向に沿った方向には第２リム吐水口２８が形成されている。この第２リム吐水口２８からも、同様に、フラッシュバルブ装置６から供給された洗浄水がリム用導水路１２を経て、ボウル部１０に向けて、第１リム吐水口２６から吐水される洗浄水が形成する旋回流Ｂと同じ向きの旋回流を形成するようほぼ水平方向に吐水される。すなわち、第１リム吐水口２６及び第２リム吐水口２８から吐水された洗浄水は、旋回流Ｂを形成し、この旋回流Ｂは、第１棚部２２に沿ってリム部２０の内周を旋回しながら下方に落下し、汚物受け面１８を洗浄するようになっている。
なお、この第２リム吐水口２８は、設けなくてもよく、その場合には、第１リム吐水口２６のみから洗浄水が吐水される。
【００２２】
つぎに、図５に示すように、ボウル部１０の汚物受け面１８の正面から見て左側側面の中腹には、第２棚部３０が形成されている。この第２棚部３０は、実質的には、ボウル部１０の左側後部から、ボウル部１０の側面部の前部寄りの位置までのびるジェット導水路１４の底面となっており、その中央側に位置する段部２４に向って斜め下方に延びている。さらに、第２棚部３０の上方には、第２棚部３０の上に覆い被さるようにボウル部１０の中央側に張り出した内壁部３２が形成されている。
【００２３】
また、第２棚部３０の第２棚部先端３０ａと内壁部３２の下端の間には、ジェット吐水口３４が形成されている。このジェット吐水口３４は、ボウル部１０の左側側面で、汚物受け面１８よりも下方で初期溜水水位Ｌよりも上方で、さらに、ボウル部１０の前後方向の中心位置Ｃ（図３参照）付近に位置している。
【００２４】
さらに、図５に示すように、ジェット吐水口３４は、段部２４へ差し向けられており、ジェット吐水口３４からボウル部２０の内部に向けて洗浄水が吐水されると、段部２４の上方の領域で、縦方向（上下方向）の旋回流Ｄを形成し、その場で、滞留するようになっている。
【００２５】
ここで、図３に示すように、便器本体２の後部には、共通導水路３６が形成され、この共通導水路３６の後端側は、フラッシュバルブ装置６と連通し、このフラッシュバルブ装置６から洗浄水が供給されるようになっている。
また、この共通導水路３６の先端側には、第１リム吐水口２６及び第２リム吐水口２８に洗浄水を供給するリム用導水路１２が形成され、さらに、ジェット吐水口３４に洗浄水を供給するジェット用導水路１４が形成されている。すなわち、これらリム用導水路１２及びジェット用導水路１４は、ボウル部１０の背面側近傍で共通導水路３６の下流側から互いに分岐している。
【００２６】
つぎに、図２〜図８を参照して、水洗大便器１のジェット用導水路１４の詳細について説明する。
図６は、本発明の一実施形態による水洗大便器の内部構造を示す側面図であり、図７は、図６に示す本発明の一実施形態による水洗大便器の内部構造のジェット導水路部分を斜め下方から見た部分拡大斜視図であり、図８は、図２に示す本発明の一実施形態による水洗大便器のジェット導水路部分を拡大した部分拡大平面図である。
【００２７】
図３及び図６〜図８に示すように、ジェット用導水路１４の上流側には、フラッシュバルブ装置６から共通導水路３６に供給された洗浄水のうち、リム用導水路１２に分流した以外の洗浄水が流入する流入口３８が形成されている。
また、ジェット用導水路１４は、この流入口３８から下流側に向って徐々に流路が大きくなるように、ジェット用導水路１４の全域のほぼ中間付近に形成された拡張部４０を備えている。
さらに、ジェット用導水路１４は、拡張部４０から下流側に向って徐々に流路が小さくなるように、ジェット吐水口３４の上流側近傍に形成された絞り部４２を備えている。
【００２８】
ここで、ジェット用導水路１４の最も下流側に位置するジェット吐水口３４の流路断面積をＳ０（図３参照）とすると、流入口３８の流路断面積Ｓ１（図７参照）は、ジェット吐水口３４の流路断面積Ｓ０よりも小さく設定されている（例えば、Ｓ１＝０．７１Ｓ０）。
また、拡張部４０の流路断面積Ｓ２（図７参照）は、ジェット用導水路１４の全域の流路断面の中で最も流路断面積が大きく設定されており、ジェット吐水口３４の流路断面積Ｓ０よりも大きくなっている（例えば、Ｓ１＝１．４２Ｓ０）。
さらに、絞り部４２の流路断面積Ｓ３（図７参照）は、ジェット吐水口３４の流路断面積Ｓ０よりも小さく設定され、流入口３８の流路断面積Ｓ１とほぼ同程度となっている（例えば、Ｓ３＝０．７０Ｓ０）。
【００２９】
すなわち、流入口３８の流路断面積Ｓ１と絞り部４２の流路断面積Ｓ３は、ジェット用導水路１４における流入口３８及び絞り部４２の双方以外の他の部分の流路断面積よりも小さく設定されている。これにより、フラッシュバルブ装置６からジェット用導水路１４に比較的小さな瞬間流量（例えば、７０〜９０［ｌ／ｍｉｎ］）で供給されたとしても、絞り部４２を通過する洗浄水の流速を高めることができ、勢いのある洗浄水をジェット吐水口３４からボウル部１０内に吐水することができるようになっている。したがって、ジェット吐水口３４からボウル部１０内へ吐水された洗浄水について上下方向（縦方向）に旋回させる流れを効果的に形成し、ボウル部１０内の溜水についても上下方向に攪拌する流れを形成することができ、汚物等の排出性能を向上させることができるようになっている。
【００３０】
また、流入口３８の流路断面積Ｓ１が、ジェット用導水路１４における流入口３８及び絞り部４２の双方以外の他の部分の流路断面積よりも小さく設定されているため、フラッシュバルブ装置６から供給された洗浄水が流入口３８を通過する際に、適用されるフラッシュバルブの種類にかかわらず、流量をほぼ一定とすることができる。したがって、ほぼ一定となった流量が絞り部４２を通過することにより流速が向上し、ボウル部１０内における洗浄性能と汚物排出性能を向上させることができるようになっている。
また、フラッシュバルブ装置６から共通導水路３６に供給された洗浄水がリム用導水路１２とジェット用導水路１４のそれぞれに分流する際に、適用されるフラッシュバルブ装置の種類にかかわらず、リム用導水路１２に供給される流量とジェット用導水路１４に供給される流量との配分比を一定に定めることができるようになっている。したがって、リム用導水路１２とジェット用導水路１４のそれぞれから洗浄水を適正な配分比でボウル部１０内に吐水することができ、ボウル部１０内における洗浄性能と汚物排出性能を向上させることができるようになっている。
【００３１】
さらに、ジェット用導水路１４の拡張部４０によりジェット用導水路１４内の途中（中間部分）の流路が流入口３８や絞り部４２の流路よりも拡張されているため、この拡張された流路のスペースの分だけジェット用導水路１４内により多くの洗浄水量を収容することができると共に、拡張部４０内を流れる洗浄水に対する流体抵抗を抑制し、絞り部４２に供給される洗浄水を整流化することができるようになっている。したがって、絞り部４２で流速が高められた勢いのある洗浄水を形成することができ、ジェット吐水口３４からボウル部１０内へ吐水された洗浄水について上下方向（縦方向）に旋回させる流れを効果的に形成し、汚物等の排出性能を向上させることができるようになっている。
【００３２】
ちなみに、ジェット用導水路１４の各部分における流路断面積の一例として、ジェット吐水口３４の流路断面積Ｓ０については、７００ｍｍ2〜９００ｍｍ2に設定するのが好ましく、７５０ｍｍ2〜８５０ｍｍ2に設定するのが最も好ましい。
また、流入口３８の流路断面積Ｓ１と絞り部４２の流路断面積Ｓ３については、４５０ｍｍ2〜６５０ｍｍ2に設定するのが好ましく、５００ｍｍ2〜６００ｍｍ2に設定するのが最も好ましい。
さらに、拡張部４０の流路断面積Ｓ２については、９００ｍｍ2〜１３００ｍｍ2に設定するのが好ましく、１０００ｍｍ2〜１２００ｍｍ2に設定するのが最も好ましい。
【００３３】
つぎに、図７に示すように、ジェット用導水路１４の流入口３８は、その流路断面に対して垂直な面法線ベクトルＮが下流側に向って斜め下方に差し向けられるように形成されている。これにより、フラッシュバブル装置６から共通導水路３６に供給された洗浄水が、ジェット用導水路１４の流入口３８からジェット用導水路１４内に滑らかに流入することができるようになっている。
【００３４】
また、図７及び図８に示すように、ジェット用導水路１４は、更に、絞り部４２の下流且つジェット吐水口３４の上流に形成され、絞り部４２を通過した洗浄水をジェット吐水口３４へ差し向けるように屈曲して形成された屈曲部４４を備えている。これにより、ジェット用導水路１４の拡張部４０を流れて絞り部４２で収束し、流速が高められた勢いのある洗浄水は、ジェット用導水路１４内の屈曲部４４に衝突した後にジェット吐水口３４へ差し向けられ、ジェット吐水口３４から勢いのある洗浄水がボウル部１０内に向けて所定の吐水方向に吐水されるようになっている。したがって、ジェット吐水口３４からボウル部１０内へ吐水された洗浄水について上下方向（縦方向）に旋回させる流れを効果的に形成し、ボウル部１０内の溜水についても上下方向に攪拌する流れを形成することができるようになっている。
【００３５】
さらに、図８に示すように、屈曲部４４は、その流路内の前側の壁面がジェット吐水口３４よりも前方へ所定距離ｄだけ張り出すように形成された張り出し部４４ａを備え、この張り出し部４４ａの上流側（後方側）から下流側（中央側）のジェット吐水口３４に向かって屈曲して形成されている。この屈曲部４４の張り出し部４４ａにより、絞り部４２を通過した洗浄水の大半が屈曲部４４の張り出し部４４ａの壁面（前側壁面）に衝突した後、この張り出し部４４ａの壁面に沿ってジェット吐水口３４に滑らかに導かれ、ジェット吐水口３４から勢いのある洗浄水がボウル部１０内に向けて所定の吐水方向に吐水されるようになっている。
【００３６】
また、図５及び図８に示すように、ジェット吐水口３４は、汚物受け面１８よりもボウル部１０内の中央側に形成され且つ初期溜水水位Ｌよりも下方に位置する段部２４へ差し向けられており、ジェット吐水口３４からボウル部１０内へ吐水される吐水方向Ｅが、洗浄水の大半がボウル部１０内の段部２４に衝突するように設定されている。そして、ジェット吐水口３４から吐水されて段部２４に衝突した後の洗浄水は、段部２４の上方の領域で、縦方向（上下方向）の旋回流Ｄを効果的に形成するようになっている。
【００３７】
つぎに、上述した本実施形態による水洗大便器の作用について説明する。
まず、水洗大便器１の待機状態においては、ボウル部８内の溜水の水位は、初期溜水水位Ｌとなっている。
つぎに、フラッシュバルブ装置６の人体感知センサー６ａが使用者の存在を感知した後、使用者が便器使用後にセンサー６ａから離れると、フラッシュバルブ装置６に内蔵されている開閉弁（図示せず）がフラッシュバルブ装置６内の通水路（図示せず）を開放し、給水管８の洗浄水がフラッシュバルブ装置６から便器本体２の共通導水路３６に供給される。
また、共通導水路３６内の洗浄水は、この共通導水路３６の先端側でリム用導水路１２とジェット用導水路１４のそれぞれに分流する。
【００３８】
つぎに、図２に示すように、リム用導水路１２から第１リム吐水口２６に供給された洗浄水は、第１リム吐水口２６から便器前方方向（図２の吐水方向Ａ）に吐水され、第１棚部２２上に沿って流れ、汚物受け面１８上を旋回する旋回流Ｂを形成する。そして、この洗浄水は、旋回しながらボウル部１０の汚物受け面１８を洗浄して、ボウル部１０の底部に流入する。同様に、リム用導水路１２から第２リム吐水口２８に供給された洗浄水は、ボウル部１０に向けて、第１リム吐水口２６から吐水される洗浄水が形成する旋回流Ｂと同じ向きの旋回流を形成するようほぼ水平方向に吐水され、ボウル部１０の汚物受け面１８の後方側の面を洗浄して汚物受け面１８の前方側へ旋回しながらボウル部１０の底部に流入する。
【００３９】
一方、図５に示すように、共通導水路３６からジェット用導水路１４の流入口３８を経てジェット用導水路１４内に流入した洗浄水は、流入口３８の流路断面積Ｓ１よりも拡張された流路断面積Ｓ２を有する拡張部４０を流れることにより、流体抵抗が抑制されて整流化された状態で絞り部４２へ流れる。そして、拡張部４０の流路断面積Ｓ２よりも縮小された流路断面積Ｓ３を有する絞り部４０を通過した洗浄水は、流速が高められて勢いを増した状態で、屈曲部４４へと流れる。
また、図８に示すように、洗浄水が屈曲部４４を通過する際、その下流側のジェット吐水口３４よりも前方へ張り出した張り出し部４４ａの壁面（前側壁面）に衝突した後、この張り出し部４４ａの壁面に沿ってジェット吐水口３４に滑らかに導かれ、ジェット吐水口３４から勢いのある洗浄水がボウル部１０内に向けて所定の吐水方向に吐水される。
【００４０】
ジェット用導水路１４からジェット吐水口３４に供給された洗浄水は、ジェット吐水口３４からボウル部１０の段部２４へ差し向けられて図５の吐水方向Ｅに吐水され、段部２４に衝突することにより、縦方向（上下方向）の旋回流Ｄを形成してボウル部１０内の溜水を上下方向に攪拌する。
この縦方向の旋回流Ｄは、ボウル部１０内に滞留しながら、洗浄前に溜水面に浮いていた浮遊系汚物を溜水中に沈め、この浮遊系汚物と溜水中に沈んでいた汚物とが旋回中心に集約する。その後、縦方向の旋回流Ｄによるボウル部１０内の水位上昇により排水トラップ管路１６内の水位も上昇し、排水トラップ管路１６内の汚物を排出するために必要な落差が確保されたとき、浮遊系汚物と溜水中に沈んでいた汚物を効果的に排出することができる。
【００４１】
上述した本発明の一実施形態による水洗大便器１によれば、ジェット用導水路１４が、拡張部４０から下流側に向って徐々に流路が小さくなるように、ジェット吐水口３４の上流側近傍に形成された絞り部４２を備えており、この絞り部４２の流路断面積Ｓ３が、ジェット用導水路１４における流入口３８及び絞り部４２以外の他の部分の流路断面積よりも小さく設定されているため、フラッシュバルブ装置６からジェット用導水路１４に比較的小さな瞬間流量（例えば、７０〜９０［ｌ／ｍｉｎ］）で洗浄水が供給されたとしても、絞り部４２を通過する洗浄水の流速を高めることができ、勢いのある洗浄水をジェット吐水口３４からボウル部１０内に吐水することができる。したがって、ジェット吐水口３４からボウル部１０内へ吐水された洗浄水について上下方向（縦方向）に旋回させる流れ（旋回流Ｄ）を効果的に形成し、ボウル部１０内の溜水についても上下方向に攪拌する流れを形成することができるため、汚物等の排出性能を向上させることができる。
また、フラッシュバルブ装置６から供給された洗浄水が流入口３８を通過する際に、適用されるフラッシュバルブの種類にかかわらず、流量をほぼ一定とすることができる。したがって、ほぼ一定となった流量が絞り部４２を通過することにより流速が向上し、ボウル部１０内における洗浄性能と汚物排出性能を向上させることができる。
さらに、ジェット用導水路１４の流入口３８の流路断面積Ｓ１が、この流入口３８及び絞り部４２以外の他の部分の流路断面積よりも小さく設定されているため、フラッシュバルブ装置６から供給された洗浄水が共通導水路３６からリム用導水路１２とジェット用導水路１４のそれぞれに分流する際に、適用されるフラッシュバルブ装置の種類にかかわらず、リム用導水路１２に供給される洗浄流量とジェット用導水路１４に供給される流量との配分比を一定に定めることができる。したがって、リム吐水口２６，２８とジェット吐水口３４のそれぞれから洗浄水を適正な配分比でボウル部１０内に吐水することができ、ボウル部１０内における洗浄性能と汚物排出性能を向上させることができる。
また、ジェット用導水路１４が、その流入口３８と絞り部４２との間に拡張部４０を備え、この拡張部４０によりジェット用導水路１４内の途中（中間部分）の流路が流入口３８や絞り部４２の流路よりも拡張されているため、この拡張された流路のスペースの分だけジェット用導水路１４内により多くの洗浄水量を収容することができると共に、拡張部４０内を流れる洗浄水に対する流体抵抗を抑制し、絞り部４２に供給される洗浄水を整流化することができる。したがって、絞り部４２で流速が高められた勢いのある洗浄水を形成することができ、ジェット吐水口３４からボウル部１０内へ吐水された洗浄水について上下方向（縦方向）に旋回させる流れＤを効果的に形成し、汚物等の排出性能を向上させることができる。
【００４２】
また、本実施形態による水洗大便器１によれば、ジェット用導水路１４の屈曲部４４が、その流路内の前側壁面がほぼ前方側へ張り出すように形成された張り出し部４４ａを備え、この張り出し部４４ａの上流側から下流側のジェット吐水口３４に向かって屈曲して形成されているため、絞り部４２を通過した洗浄水の大半が屈曲部４４の張り出し部４４ａの前側の壁面に衝突した後、この張り出し部４４ａの壁面に沿ってジェット吐水口３４に滑らかに導かれ、ジェット吐水口３４から勢いのある洗浄水をボウル部１０内に向けて所定の吐水方向Ｅに吐水することができる。したがって、ジェット吐水口３４からボウル部１０内へ吐水された洗浄水について上下方向（縦方向）に旋回させる流れＤをより効果的に形成し、ボウル部１０内の溜水についても上下方向に攪拌する流れＤを形成することができ、汚物等の排出性能を向上させることができる。
【００４３】
さらに、本実施形態による水洗大便器１によれば、ジェット吐水口３４が、汚物受け面１８よりもボウル部１０内の中央側に形成され且つ初期溜水水位Ｌよりも下方に位置する段部２４へ差し向けられているため、ジェット吐水口３４からボウル部１０内へ吐水された洗浄水の大半が、ボウル部１０内の段部２４に衝突した後、上下方向（縦方向）に旋回させる流れＤをより効果的に形成することができる。したがって、ボウル部１０内の溜水についても上下方向に攪拌する流れを形成することができ、汚物等の排出性能を向上させることができる。
【００４４】
また、本実施形態による水洗大便器１によれば、ジェット用導水路１４の流入口３８の流路断面積Ｓ１がジェット用導水路１４における流入口３８及び絞り部４２以外の他の部分の流路断面積よりも小さく設定されていることにより、フラッシュバルブ装置６から供給される洗浄水がジェット用導水路１４の流入口３８から流入しにくい状態であっても、ジェット用導水路１４の流入口３８が、その流路断面に対して垂直な面法線ベクトルＮが下流側に向って斜め下方に差し向けられるように形成されているため、洗浄水が流入口３８からジェット用導水路１４内に滑らかに流入することができる。したがって、ジェット吐水口３４から勢いのある洗浄水をボウル部１０内に向けて所定の吐水方向Ｅに吐水することができ、ジェット吐水口３４からボウル部１０内へ吐水された洗浄水について上下方向（縦方向）に旋回させる流れＤをより効果的に形成することができる。よって、ボウル部１０内の溜水についても上下方向に攪拌する流れを形成することができ、汚物等の排出性能を向上させることができる。
【００４５】
なお、上述した本実施形態による水洗大便器１においては、例として、洗い落し式の水洗大便器について説明したが、サイホン作用を利用してボウル部内の汚物を吸い込んで排水トラップ管路から一気に外部に排出する、いわゆる、サイホン式の水洗大便器であってもよい。
【符号の説明】
【００４６】
１    水洗大便器
２    便器本体
４    便座
６    フラッシュバルブ装置（フラッシュバルブ）
６ａ  人体感知センサー
８    給水管
１０    ボウル部
１２    リム用導水路（第１通水路）
１４    ジェット用導水路（第２通水路）
１６    排水トラップ管路（トラップ管路）
１６ａ  排水トラップ管路の入口
１６ｂ  排水トラップ管路の上昇管
１６ｃ  排水トラップ管路の頂部
１６ｄ  排水トラップ管路の下降管
１８    汚物受け面
２０    リム部
２０ａ  内側面
２２    第１棚部
２４    段部
２６    第１リム吐水口（第１吐水部）
２８    第２リム吐水口（第１吐水部）
３０    第２棚部
３０ａ  第２棚部先端
３２    内壁部
３４    ジェット吐水口（第２吐水部）
３６    共通導水路
３８    ジェット用導水路の流入口（第２通水路の流入部）
４０    ジェット用導水路の拡張部（第２通水路の拡張部）
４２    ジェット用導水路の絞り部（第２通水路の絞り部）
４４    ジェット用導水路の屈曲部（第２通水路の屈曲部）
４４ａ  屈曲部の張り出し部
【図１】
2014062431.tif 000003
【図２】
2014062431.tif 000004
【図３】
2014062431.tif 000005
【図４】
2014062431.tif 000006
【図５】
2014062431.tif 000007
【図６】
2014062431.tif 000008
【図７】
2014062431.tif 000009
【図８】
2014062431.tif 000010
【図９】
2014062431.tif 000011